(57)【要約】      （修正有）【課題】ファイルを保持する弾性紐体が外れてしまうのを防止し、確実にファイルを閉じた状態に保持することができるファイルを提供する。【解決手段】表表紙３と裏表紙４と背表紙５を有する外ファイル１と、表表紙２３と裏表紙２４を有する内ファイル２を備えている。外ファイル１の裏表紙４に延出部６を有し、その延出部に溝部２１が設けられている。外ファイル１の裏表紙４には平ゴムバンド７が取り付けられており、この平ゴムバンド７を溝部２１に引っ掛け外ファイル１の表表紙３の両隅部に掛け渡すことによって平ゴムバンド７の外れを防止する。【選択図】図１
0003158035.tif 000002
【実用新案登録請求の範囲】
【請求項１】
少なくとも表表紙と裏表紙を有するファイルを備え、この裏表紙は見出し側に表表紙よりも幅広に形成された延出部を有し、一方の表紙の隅部に掛け渡す弾性紐体を他方の表紙に取り付け、この弾性紐体を掛け渡す際に弾性紐体を引っ掛け得るよう上記裏表紙の延出部に溝部を設けたことを特徴とするファイル。
【請求項２】
弾性紐体は、裏表紙の延出部側に形成した挿入孔に紐体の中間部が挿通され、その両端部がそれぞれ裏表紙の上縁部及び下縁部に固定された請求項１に記載のファイル。
【請求項３】
請求項１に記載のファイルを外ファイルとし、この外ファイル内に、外ファイルの延出部に溝部によって形成される見出し相当部にそれぞれ対応するよう見出し部の位置を相違させた見出し部を有する複数の内ファイルを設けたことを特徴とするファイル。
【請求項４】
内ファイルを３枚とした請求項３に記載のファイル。
【考案の詳細な説明】
【技術分野】
【０００１】
本考案は、弾性紐体によってファイルを確実に閉じた状態に保持するファイルに関し、特に外ファイルと内ファイルを備えたファイルを確実に閉じた状態に保持するファイルに関する。
【背景技術】
【０００２】
ファイルを閉じた状態に保持する方法として、弾性紐を用いて保持するものが考案されている。しかし、このものは、裏表紙に弾性紐を取り付け、その弾力紐を単に他方の表表紙の上下隅部に掛け渡すことによって閉じた状態を保持するようにしたものであるので、弾性紐に手や物が引っ掛かったりした際には弾性紐が表表紙の隅部から滑り落ち、弾性紐が緩んで外れてしまい、ファイルが不用意に開いてしまうことがあった。
【先行技術文献】
【特許文献】
【０００３】
【特許文献１】実開平３−４７１７１号公報（２〜３頁、図１）
【考案の概要】
【考案が解決しようとする課題】
【０００４】
本考案は、このような問題点を解消するものであって、ファイルに掛け渡した弾性紐体が不用意に外れてしまうのを防止し、確実にファイルを閉じた状態に保持することができるファイルを提供しようとするものである。
【課題を解決するための手段】
【０００５】
本考案は、少なくとも表表紙と裏表紙を有するファイルを備え、一方の表紙に弾性紐体を取り付け、裏表紙に形成された延出部に溝部を設け、弾性紐体を他方の表紙の隅部に掛け渡す際に上記溝部に弾性紐体を係合させることによって、弾性紐体がファイルより簡単に外れないようにし、確実にファイルを閉じた状態に保持するようにしたものである。
【０００６】
また、本考案は、上記ファイルを外ファイルとし、この外ファイル内に、見出し部の位置が相違する複数の内ファイルを設け、この各内ファイルの見出し部を外ファイルに形成される見出し相当部に対応させた状態で溝部に弾性紐体を係合させることによって、外ファイルと内ファイルを確実に保持するようにしたものである。
【考案の効果】
【０００７】
本考案は、上記のようにファイルの裏表紙に形成した延出部に溝部を設けているので、この溝部に弾性紐体を係合させて掛け渡すことができ、これによって弾性紐体が外れるのを防止することができる。また、外ファイル内に内ファイルが設けられ、その内ファイルの見出し部を外ファイルの見出し相当部に対応させているので、弾性紐体を溝部に係合させて掛け渡すことによって両ファイルをしっかりと保持することができる。
【図面の簡単な説明】
【０００８】
【図１】本考案の一実施例を示すファイルの分解斜面図である。
【図２】閉じた状態示すファイルの平面図である。
【図３】図２に示すファイルの裏面図である。
【図４】開いた状態を示す外ファイルの平面図である。
【図５】図４に示す外ファイルの裏面図である。
【図６】内ファイルを縮小して示す平面図である。
【図７】弾性紐体の端部を固定する止め具の一部拡大断面図である。
【考案を実施するための形態】
【０００９】
ファイルは、表表紙と、裏表紙と、背表紙を備え、これらがプラスチックその他適宜の腰のある材料で形成されている。上記裏表紙には、見出し側が表表紙の横幅より広くなるように延出部が形成されている。なお、本考案では、説明の便宜上、ファイルの一方を表表紙とし、他方を裏表紙としている。
ファイルは、通常、外ファイルと内ファイルを備えているが、外ファイルのみを単独で独立したファイルとして用いることがある。なお、これらの内外ファイルには、背表紙が形成されているものと、形成されていないものがある。
【００１０】
弾性紐体は、平ゴム状のゴムバンド等のゴム紐や扁平なスプリング等で形成され、これを一本または二本を用いて上記外ファイルに取り付けられる。一本の場合は、弾性紐体を外ファイルの裏表紙の延出部に鳩目状に形成した２個の穴に挿通し、その両端部を裏表紙の隅部の上縁部と下縁部に止め具やカシメ、リベット、溶着、接着等の固定手段を用いて固定している。また、二本の場合は、弾性紐体をそれぞれ外ファイルの裏表紙の隅部に設け、その両端部を上記固定手段によって固定している。なお、弾性紐体は、外ファイルの表表紙側に設けるようにしてもよい。
【００１１】
外ファイルの裏表紙の延出部には、溝部が形成されている。ファイルを閉じる際に、この溝部に弾性紐体を係合させ、紐体を外ファイルの表表紙の隅部に掛け渡すようにする。この場合、外ファイルの裏表紙の延出部が上記溝部によって区分され、見出し相当部が形成される。
【００１２】
外ファイル内に収納される内ファイルは、通常、複数枚で構成され、これに見出し部が形成される。この見出し部は、外ファイルの見出し相当部にそれぞれ対応するように見出し部の位置が相違するように形成させている。
【実施例】
【００１３】
ファイルは、図１に示すように、外ファイル１と内ファイル２を備えている。実施例では、内ファイル２が３枚になっているが、その他の複数のものとすることができる。
外ファイル１は、表表紙３と、裏表紙４と、背表紙５を有し、その裏表紙４の見出し側には、表表紙３の横幅より長くした延出部６が形成されている。
【００１４】
外ファイル１の裏表紙４には、外ファイルを閉じた状態に保持するための平ゴムバンド（弾性紐体）７が取り付けられている。
平ゴムバンド７は、図４及び図５に示すように１本で形成されており、その中間部８が外ファイル１の延出部６側の中央部に鳩目状に形成された２つの挿入孔９に挿通され、その端部１０が外ファイル１の裏表紙４の上縁部１９と下縁部２０に止め具１１を用いて固定される。なお、２本の平ゴムバンド７を用いる場合には、上記挿入孔９の一方の位置と外ファイル１の裏表紙４の上縁部１９、挿入孔９の他方の位置と下縁部２０の位置でそれぞれ平ゴムバンド７の端部１０を固定する。
【００１５】
上記止め具１１は、図７に示すように、凹部材１２と凸部材１３を有し、この凹部材１２の筒状軸部１４を、平ゴムバンドの端部に形成された取り付け孔１５と、外ファイル１の裏表紙４の隅部１６に形成された挿入孔１７に挿入し、この筒状軸部１４に上記凸部材１３の軸部１８を嵌合させて固定している。
【００１６】
外ファイル１の延出部６には、平ゴムバンド７を引っ掛けるための溝部２１が設けられ、この溝部２１によって延出部６に見出し相当部２２が形成されている。
【００１７】
外ファイル１内に収納される内ファイル２は、図６（Ａ）、（Ｂ）、（Ｃ）に示すように、表表紙２３と裏表紙２４を有し、この裏表紙に見出し部２５が設けられている。この見出し部２５は、図示のようにそれぞれ外ファイル１の見出し相当部２２に対応するように、内ファイル２の中央部に設けたもの（Ａ）、下縁部側に設けたもの（Ｂ）、上縁部側に設けたもの（Ｃ）となるようにその位置をずらしている。
【００１８】
外ファイル１を閉じた状態で保持する際には、図２及び図３に示すように、平ゴムバンド７を外ファイルの裏表紙４の溝部１８に引っ掛けて外ファイル１の表表紙３の隅部１６に掛け渡す。これによって、平ゴムバンド７が溝部１８に係合すると共に各内ファイル２の見出し部２５の側面部に当接するような状態となるので、平ゴムバンド７が外れることがなく、両ファイルを確実に閉じた状態で保持することができる。
【符号の説明】
【００１９】
１  外ファイル    ２  内ファイル    ６  延出部    ７  平ゴムバンド    １１  止め具    １６、２６  隅部    ２２  見出し相当部    ２５  見出し部
【図１】
0003158035.tif 000003
【図２】
0003158035.tif 000004
【図３】
0003158035.tif 000005
【図４】
0003158035.tif 000006
【図５】
0003158035.tif 000007
【図６】
0003158035.tif 000008
【図７】
0003158035.tif 000009